(57)【要約】揮発性組成物ディスペンサ及び空気中の揮発性組成物を揮発させる方法が提供される。揮発性組成物ディスペンサは、１つ以上のリザーバを含み、各リザーバは揮発性組成物を収容する。各リザーバは、リザーバ内の揮発性組成物と流体連通するように配置された１つ以上の送出エンジンを有する。各送出エンジンは、蒸発面と流体連通している。１つ以上の蒸発支援要素が、蒸発面に隣接して配置される。揮発性組成物を揮発させる方法は、エネルギーブースト期間と、エネルギーが低減又は維持された延長放出期間と、を含む総放出プログラムにわたって異なるエネルギーで蒸発支援要素を動作させることを含む。
2021511852.tif 000002
【特許請求の範囲】
【請求項１】
揮発性組成物を分散させる方法であって、前記方法が、
揮発性組成物ディスペンサを提供する工程であって、前記揮発性組成物ディスペンサが、前記揮発性組成物を含むリザーバと、前記リザーバと流体連通している送出エンジンと、前記送出エンジンと流体連通している蒸発面と、前記蒸発面の少なくとも一部に隣接する蒸発支援要素と、を備え、前記蒸発支援要素が最大電力出力を画定する、工程と、
前記揮発性組成物ディスペンサの総放出プログラムを開始する工程と、
前記蒸発支援要素によって印加されるエネルギーを第１のエネルギーブースト期間に第１のエネルギーまで増加させる工程であって、前記第１のエネルギーが、前記総放出プログラムを開始する最初の２４時間内の最高エネルギーである、工程と、
前記蒸発支援要素によって印加されるエネルギーを増加させる工程の後に、第１の延長放出期間にわたって前記第１のエネルギー未満で前記蒸発支援要素を動作させる工程と、
前記蒸発支援要素によって印加されるエネルギーを第２のエネルギーブースト期間に第２のエネルギーまで増加させる工程であって、前記第２のエネルギーが前記第１のエネルギー未満である、工程と、
前記蒸発支援要素を第２の延長放出期間にわたって前記第２のエネルギー以下で動作させる工程であって、前記第２のエネルギーブースト期間の長さが、前記第２の延長放出期間の長さの半分以下である、工程と、
前記蒸発支援要素によって印加されるエネルギーを、第３のエネルギーブースト期間に第３のエネルギーまで増加させる工程であって、前記第３のエネルギーが前記第１のエネルギーより大きい、工程と、を含む、方法。
【請求項２】
前記第２のエネルギーブースト期間が、前記第２の延長放出期間の長さの１／３以下である、請求項１に記載の方法。
【請求項３】
前記第１、第２、及び第３のエネルギーを印加する前記工程が、前記最大電力出力に対して前記蒸発支援要素への電力を増加させる工程を更に含む、請求項１又は２に記載の方法。
【請求項４】
前記蒸発支援要素が、ヒーターを含む、請求項１〜３のいずれか一項に記載の方法。
【請求項５】
前記蒸発支援要素によって印加されるエネルギーを前記第２のエネルギーブースト期間に前記第２のエネルギーまで増加させる工程が、前記蒸発支援要素によって印加されるエネルギーを第２のエネルギーブースト期間に前記第２のエネルギーまで少なくとも５％増加させる工程を更に含む、請求項１〜４のいずれか一項に記載の方法。
【請求項６】
前記揮発性組成物ディスペンサが、複数のユーザー制御電力設定を更に含む、請求項１〜５のいずれか一項に記載の方法。
【請求項７】
前記リザーバが第１のリザーバであり、前記揮発性組成物が第１の揮発性組成物であり、前記送出エンジンが第１の送出エンジンであり、前記蒸発面が第１の蒸発面であり、前記揮発性組成物ディスペンサが、第２の揮発性組成物を含む第２のリザーバと、前記第２のリザーバと流体連通している第２の送出エンジンと、前記第２の送出エンジンと流体連通している第２の蒸発面と、前記第２の蒸発面にエネルギーを適用する第２の蒸発支援要素と、を更に備える、請求項１に記載の方法。
【請求項８】
前記第２の延長放出期間が複数の別個の放出期間を含み、前記複数の別個の放出期間のそれぞれが、前記第１の蒸発支援要素がオフにされる、又は前記電力が前記最大電力出力の２０％未満に低減される期間によって分離され、前記方法が、
第１の別個の放出期間後に前記第１の蒸発支援要素をオフにする工程と、
前記第１の蒸発支援要素がオフにされると同時に又は時間をおいて、前記第２の蒸発支援要素をオンにして前記第２の蒸発面にエネルギーを印加する工程と、
を更に含む、請求項７に記載の方法。
【請求項９】
前記複数の別個の放出期間のそれぞれの時間の長さが、乱数発生器又は候補リストからランダムに選択される、請求項７又は８に記載の方法。
【請求項１０】
前記蒸発支援要素によって印加される前記エネルギーを前記第３のエネルギーブースト期間に前記第３のエネルギーまで増加させる前記工程が、前記蒸発支援要素によって印加される前記エネルギーを前記第３のエネルギーブースト期間に前記第３のエネルギーまで少なくとも２００％増加させる工程を更に含む、請求項１〜９のいずれか一項に記載の方法。
【請求項１１】
前記第１のエネルギーが約４０℃〜約８０℃の範囲の温度であり、前記第２のエネルギーが約５０℃〜約９０℃の範囲の温度であり、前記第３のエネルギーが約６０℃〜約１００℃の範囲の温度である、請求項１〜１０のいずれか一項に記載の方法。
【請求項１２】
揮発性組成物を分散させる方法であって、前記方法が、
揮発性組成物ディスペンサを提供する工程であって、前記揮発性組成物ディスペンサが、第１の組成物を収容する第１のリザーバと、第２の組成物を収容する第２のリザーバと、前記第１のリザーバと流体連通している第１の送出エンジンと、前記第２のリザーバと流体連通している第２の送出エンジンと、前記第１の送出エンジンと流体連通している第１の蒸発面と、前記第２の送出エンジンと流体連通している第２の蒸発面と、前記第１の蒸発面の少なくとも一部に隣接する第１の蒸発支援要素と、前記第２の蒸発面の少なくとも一部に隣接する第２の蒸発支援要素と、を備え、前記第１及び第２の送出エンジンが芯を備え、前記第１及び第２の蒸発支援要素がヒーターを備え、前記第１及び第２の蒸発支援要素がそれぞれ最大電力出力を画定する、工程と、
前記揮発性組成物ディスペンサの総放出プログラムを開始する工程であって、前記総放出プログラムが、
前記第１又は第２の蒸発支援要素によって印加されるエネルギーを第１のエネルギーブースト期間に第１のエネルギーまで増加させる工程であって、前記第１のエネルギーが、前記総放出プログラムを開始する最初の２４時間内の最高エネルギーである、工程と、
前記第１又は第２の蒸発支援要素によって印加されるエネルギーを増加させる工程の後に、第１の延長放出期間にわたって前記第１のエネルギー未満で前記第１又は第２の蒸発支援要素を動作させる工程と、
前記第１又は第２の蒸発支援要素によって印加されるエネルギーを第２のエネルギーブースト期間に第２のエネルギーまで増加させる工程であって、前記第２のエネルギーが前記第１のエネルギー未満である、工程と、
前記第１又は第２の蒸発支援要素を第２の延長放出期間にわたって前記第２のエネルギー以下で動作させる工程であって、前記第２のエネルギーブースト期間の長さが、前記第２の延長放出期間の長さの半分以下である、工程と、
前記第１又は第２の蒸発支援要素によって印加されるエネルギーを、第３のエネルギーブースト期間に第３のエネルギーまで増加させる工程であって、前記第３のエネルギーが前記第１のエネルギーより大きい、工程と、
前記第１及び第２の蒸発支援要素の動作を総放出プログラムにわたって複数の別個の放出期間において交互に行う工程であって、前記第１の蒸発支援要素に関する前記別個の放出期間が、前記第１の蒸発支援要素がオフであり、前記第２の蒸発支援要素がオンである期間によって分離され、前記第２の蒸発支援要素に関する前記別個の放出期間が、前記第２の蒸発支援要素がオフであり、前記第１の蒸発支援要素がオンである期間によって分離される、工程と、
を含む、方法。
【請求項１３】
前記第１及び第２の蒸発支援要素の動作を同時にオフにして、前記揮発性組成物の放出における間隙を引き起こす工程を更に含む、請求項１２に記載の方法。
【請求項１４】
前記複数の別個の放出期間のそれぞれの時間の長さが、乱数発生器又は候補リストからランダムに選択される、請求項１２〜１３のいずれか一項に記載の方法。
【請求項１５】
揮発性組成物を分散させる方法であって、前記方法が、
揮発性組成物ディスペンサを提供する工程であって、前記揮発性組成物ディスペンサが、前記揮発性組成物を含むリザーバと、前記リザーバと流体連通している送出エンジンと、を備え、前記送出エンジンと流体連通している蒸発面と、前記蒸発面の少なくとも一部に隣接する蒸発支援要素と、を備え、前記蒸発支援要素が最大電力出力を画定する、工程と、
前記揮発性組成物ディスペンサの総放出プログラムを開始する工程と、
第１のエネルギーブースト期間に前記蒸発面からの前記揮発性組成物の蒸発速度を第１の蒸発速度まで増加させる工程であって、前記第１の蒸発速度が、前記総放出プログラムを開始する最初の２４時間内の最高蒸発速度である、工程と、
蒸発速度を前記第１の蒸発速度まで増加させる工程後、第１の延長放出期間にわたって前記第１の蒸発速度未満で前記蒸発面から前記揮発性組成物を蒸発させる工程と、
第２のエネルギーブースト期間に前記蒸発速度を第２の蒸発速度まで増加させる工程と、
前記蒸発速度を第２の蒸発速度まで増加させる工程後、第２の延長放出期間にわたって前記第２の蒸発速度未満で前記蒸発面から前記揮発性組成物を蒸発させる工程であって、前記第２のエネルギーブースト期間の長さが、前記第２の延長放出期間の長さの半分以下である、工程と、
前記蒸発速度を第３のエネルギーブースト期間に第３の蒸発速度まで増加させる工程であって、前記蒸発速度が総放出プログラムにわたって１５ｍｇ／時〜５０ｍｇ／時である、工程と、
を含む、方法。
【発明の詳細な説明】
【技術分野】
【０００１】
本発明は、揮発性組成物の認知性を持続させるために様々なエネルギーレベルを使用して、揮発性組成物を空気中に送出する方法に関する。
【背景技術】
【０００２】
揮発性組成物ディスペンサは、清涼組成物などの様々な揮発性組成物を空気中に送出するために存在する。このような揮発性組成物ディスペンサは、例えば、揮発性組成物を空気中に揮発させるのを支援する１つ以上のヒーターを有する芯ベースの電気ディスペンサの形態をとることができる。消費者は、揮発性組成物ディスペンサが、数週間又は数ヶ月にわたって認知可能な強度の揮発性組成物を提供することを望む。しかしながら、認知性は、慣れ及び／又は揮発性組成物ディスペンサからの揮発性組成物の蒸発速度の低下によって影響され得る。認知性を高める試みがなされてきたが、こうした試みは結果的に揮発性組成物のより迅速な蒸発をもたらす可能性がある。したがって、消費者の持続的認知性をもたらす揮発性組成物ディスペンサを提供する必要性が未だ存在する。
【発明の概要】
【課題を解決するための手段】
【０００３】
本発明の態様は、以下の組み合わせを含む。
Ａ．揮発性組成物を分散させる方法であって、該方法が、
揮発性組成物ディスペンサを提供する工程であって、揮発性組成物ディスペンサが、揮発性組成物を含むリザーバと、リザーバと流体連通している送出エンジンと、を備え、送出エンジンと流体連通している蒸発面と、蒸発面の少なくとも一部に隣接する蒸発支援要素と、を備え、蒸発支援要素が最大電力出力を画定する、工程と、
揮発性組成物ディスペンサの総放出プログラムを開始する工程と、
蒸発支援要素によって印加されるエネルギーを第１のエネルギーブースト期間に第１のエネルギーまで増加させる工程であって、第１のエネルギーが、総放出プログラムを開始する最初の２４時間内の最高エネルギーである、工程と、
蒸発支援要素によって印加されるエネルギーを増加させる工程の後に、第１の延長放出期間にわたって第１のエネルギー未満で蒸発支援要素を動作させる工程と、
蒸発支援要素によって印加されるエネルギーを第２のエネルギーブースト期間に第２のエネルギーまで増加させる工程であって、第２のエネルギーが第１のエネルギー未満である、工程と、
蒸発支援要素を第２の延長放出期間にわたって第２のエネルギー以下で動作させる工程であって、第２のエネルギーブースト期間の長さが、第２の延長放出期間の長さの半分以下である、工程と、
蒸発支援要素によって印加されるエネルギーを第３のエネルギーブースト期間に第３のエネルギーまで増加させる工程であって、第３のエネルギーが第１のエネルギーより大きい、工程と、を含む、方法。
Ｂ．第２のエネルギーブースト期間が、第２の延長放出期間の長さの１／３以下である、段落Ａに記載の方法。
Ｃ．第１、第２、及び第３のエネルギーを印加する工程が、最大電力出力に対して蒸発支援要素への電力を増加させる工程を更に含む、段落Ａ又はＢに記載の方法。
Ｄ．蒸発支援要素が、ヒーターを含む、段落Ａ〜Ｃのいずれか一項に記載の方法。
Ｅ．蒸発支援要素によって印加されるエネルギーを第２のエネルギーブースト期間に第２のエネルギーまで増加させる工程が、蒸発支援要素によって印加されるエネルギーを第２のエネルギーブースト期間に第２のエネルギーまで少なくとも５％増加させる工程を更に含む、段落Ａ〜Ｄのいずれかに記載の方法。
Ｆ．揮発性組成物ディスペンサが、複数のユーザー制御電力設定を更に含む、段落Ａ〜Ｅのいずれかに記載の方法。
Ｇ．リザーバが第１のリザーバであり、揮発性組成物が第１の揮発性組成物であり、送出エンジンが第１の送出エンジンであり、蒸発面が第１の蒸発面であり、揮発性組成物ディスペンサが、第２の揮発性組成物を含む第２のリザーバと、第２のリザーバと流体連通している第２の送出エンジンと、第２の送出エンジンと流体連通している第２の蒸発面と、第２の蒸発面にエネルギーを適用する第２の蒸発支援要素と、を更に備える、段落Ａ〜Ｆのいずれかに記載の方法。
Ｈ．第２の延長放出期間が複数の別個の放出期間を含み、複数の別個の放出期間のそれぞれが、第１の蒸発支援要素がオフにされる、又は電力が最大電力出力の２０％未満に低減される期間によって分離され、方法が、
第１の別個の放出期間後に第１の蒸発支援要素をオフにする工程と、
第１の蒸発支援要素がオフにされると同時に又は時間をおいて、第２の蒸発支援要素をオンにして第２の蒸発面にエネルギーを印加する工程と、
を更に含む、段落に記載の方法。
Ｉ．複数の別個の放出期間のそれぞれの時間の長さが、乱数発生器又は候補リストからランダムに選択される、段落Ｇ又は段落Ｈに記載の方法。
Ｊ．蒸発支援要素によって印加されるエネルギーを第３のエネルギーブースト期間に第３のエネルギーまで増加させる工程が、蒸発支援要素によって印加されるエネルギーを第３のエネルギーブースト期間に第３のエネルギーまで少なくとも２００％増加させる工程を更に含む、段落Ａ〜Ｉのいずれかに記載の方法。
Ｋ．第１のエネルギーが約４０℃〜約８０℃の範囲の温度であり、第２のエネルギーが約５０℃〜約９０℃の範囲の温度であり、第３のエネルギーが約６０℃〜約１００℃の範囲の温度である、段落Ａ〜Ｊのいずれかに記載の方法。
Ｌ．揮発性組成物を分散させる方法であって、該方法が、
揮発性組成物ディスペンサを提供する工程であって、揮発性組成物ディスペンサが、第１の組成物を収容する第１のリザーバと、第２の組成物を収容する第２のリザーバと、第１のリザーバと流体連通している第１の送出エンジンと、第２のリザーバと流体連通している第２の送出エンジンと、第１の送出エンジンと流体連通している第１の蒸発面と、第２の送出エンジンと流体連通している第２の蒸発面と、第１の蒸発面の少なくとも一部に隣接する第１の蒸発支援要素と、第２の蒸発面の少なくとも一部に隣接する第２の蒸発支援要素と、を備え、第１及び第２の送出エンジンが芯を備え、第１及び第２の蒸発支援要素がヒーターを備え、第１及び第２の蒸発支援要素がそれぞれ最大電力出力を画定する、工程と、
揮発性組成物ディスペンサの総放出プログラムを開始する工程であって、総放出プログラムが、
第１又は第２の蒸発支援要素によって印加されるエネルギーを第１のエネルギーブースト期間に第１のエネルギーまで増加させる工程であって、第１のエネルギーが、総放出プログラムを開始する最初の２４時間内の最高エネルギーである、工程と、
第１又は第２の蒸発支援要素によって印加されるエネルギーを増加させる工程の後に、第１の延長放出期間にわたって第１のエネルギー未満で第１又は第２の蒸発支援要素を動作させる工程と、
第１又は第２の蒸発支援要素によって印加されるエネルギーを第２のエネルギーブースト期間に第２のエネルギーまで増加させる工程であって、第２のエネルギーが第１のエネルギー未満である、工程と、
第１又は第２の蒸発支援要素を第２の延長放出期間にわたって第２のエネルギー以下で動作させる工程であって、第２のエネルギーブースト期間の長さが、第２の延長放出期間の長さの半分以下である、工程と、
第１又は第２の蒸発支援要素によって印加されるエネルギーを、第３のエネルギーブースト期間に第３のエネルギーまで増加させる工程であって、第３のエネルギーが第１のエネルギーより大きい、工程と、
第１及び第２の蒸発支援要素の動作を総放出プログラムにわたって複数の別個の放出期間において交互に行う工程であって、第１の蒸発支援要素に関する別個の放出期間が、第１の蒸発支援要素がオフであり、第２の蒸発支援要素がオンである期間によって分離され、第２の蒸発支援要素に関する別個の放出期間が、第２の蒸発支援要素がオフであり、第１の蒸発支援要素がオンである期間によって分離される、工程と、
を含む、方法。
Ｍ．第１及び第２の蒸発支援要素の動作を同時にオフにして、揮発性組成物の放出における間隙を引き起こす工程を更に含む、段落Ｌに記載の方法。
Ｎ．複数の別個の放出期間のそれぞれの時間の長さが、乱数発生器又は候補リストからランダムに選択される、段落Ｌ〜Ｍのいずれかに記載の方法。
Ｏ．揮発性組成物を分散させる方法であって、該方法が、
揮発性組成物ディスペンサを提供する工程であって、揮発性組成物ディスペンサが、揮発性組成物を含むリザーバと、リザーバと流体連通している送出エンジンと、を備え、送出エンジンと流体連通している蒸発面と、蒸発面の少なくとも一部に隣接する蒸発支援要素と、を備え、蒸発支援要素が最大電力出力を画定する、工程と、
揮発性組成物ディスペンサの総放出プログラムを開始する工程と、
第１のエネルギーブースト期間に蒸発面からの揮発性組成物の蒸発速度を第１の蒸発速度まで増加させる工程であって、第１の蒸発速度が、総放出プログラムを開始する最初の２４時間内の最高蒸発速度である、工程と、
蒸発速度を第１の蒸発速度まで増加させる工程後、第１の延長放出期間にわたって第１の蒸発速度未満で蒸発面から揮発性組成物を蒸発させる工程と、
第２のエネルギーブースト期間に蒸発速度を第２の蒸発速度まで増加させる工程と、
蒸発速度を第２の蒸発速度まで増加させる工程後、第２の延長放出期間にわたって第２の蒸発速度未満で蒸発面から揮発性組成物を蒸発させる工程であって、第２のエネルギーブースト期間の長さが、第２の延長放出期間の長さの半分以下である、工程と、
蒸発速度を第３のエネルギーブースト期間に第３の蒸発速度まで増加させる工程であって、蒸発速度が総放出プログラムにわたって１５ｍｇ／時〜５０ｍｇ／時である、工程と、
を含む、方法。
Ｐ．第２のエネルギーブースト期間が、第２の延長放出期間の長さの１／３以下である、段落Ｏに記載の方法。
Ｑ．蒸発支援要素がヒーターを含み、送出エンジンが芯を備える、段落Ｏ又は段落Ｐに記載の方法。
Ｒ．第２のエネルギーブースト期間に蒸発速度を増加させる工程が、蒸発速度を第２のエネルギーブースト期間に第２の蒸発速度まで少なくとも５％増加させる工程を更に含む、パラグラフＯ〜Ｑのいずれかに記載の方法。
Ｓ．リザーバが第１のリザーバであり、揮発性組成物が第１の揮発性組成物であり、送出エンジンが第１の送出エンジンであり、蒸発面が第１の蒸発面であり、揮発性組成物ディスペンサが、第２の揮発性組成物を含む第２のリザーバと、第２のリザーバと流体連通している第２の送出エンジンと、第２の送出エンジンと流体連通している第２の蒸発面と、第２の蒸発面にエネルギーを適用する第２の蒸発支援要素と、を更に備える、段落Ｏ〜Ｒのいずれかに記載の方法。
【図面の簡単な説明】
【０００４】
【図１】芯の形態の２つの送出エンジンを備える揮発性組成物ディスペンサを示す部分断片概略正面図である。
【図２】図１に示される装置を示す部分断片概略側面図である。
【図３】図１に示される装置を示す概略上面図である。
【図４】送出エンジンとして膜を備えるカートリッジを有する揮発性組成物ディスペンサを示す概略分解図である。
【図５】図４のカートリッジを示す概略分解図である。
【図６】図１〜３に示される揮発性組成物ディスペンサを制御するために使用することができるプリント回路基板と、そこに取り付けられたヒーター及びプラグとを示す概略斜視図である。
【図７】図６に示される回路を示す概略図である。
【図８】経時的な最大ヒーター電力のパーセントとして表される、揮発性組成物ディスペンサの総放出プログラムを示すグラフである。
【図９】図８の総放出プログラムで動作する揮発性組成物ディスペンサの蒸発速度を示すグラフである。
【図１０】現在の市販装置の蒸発速度のグラフを重ねた図９の揮発性組成物ディスペンサの蒸発速度を示すグラフである。
【図１１】経時的な最大ヒーター電力のパーセントとして表される、高、中、及び低電力設定を有する揮発性組成物ディスペンサの総放出プログラムを示すグラフである。
【図１２】図１１の総放出プログラムの高、中、及び低設定の蒸発速度を示すグラフである。
【図１３】ヒーターのオン時間の長さとして表される、高、中、及び低電力設定を有する揮発性組成物ディスペンサの総放出プログラムを示すグラフである。
【図１４】例示的な揮発性組成物ディスペンサからの経時的な例示均一蒸発速度プロファイルを示すグラフである。
【図１５】例示的な揮発性組成物ディスペンサからの経時的な例示蒸発速度プロファイルを示すグラフである。
【図１６】例示的な揮発性組成物ディスペンサからの経時的に横ばいである例示的なランダム蒸発プロファイルのグラフである。
【図１７】例示的な揮発性組成物ディスペンサからの経時的に平均して増加する例示的なランダム蒸発プロファイルのグラフである。
【図１８】蒸発が、例示的な揮発性組成物ディスペンサからの揮発性組成物の臭気検出閾値を下回るようにヒーター温度を低下させる揮発性組成物ディスペンサの２つのヒーターの例示的なエネルギープロファイルを示すグラフである。
【図１９】本発明の蒸発支援要素用の例示的な総放出プログラムを示すグラフである。
【図２０】消費者調査＃１の比較総放出プログラムのグラフである。
【発明を実施するための形態】
【０００５】
本発明は、揮発性組成物ディスペンサ、及び揮発性組成物ディスペンサを使用して揮発性組成物を空気中に送出する方法に関する。揮発性組成物ディスペンサは、リザーバ内に収容された揮発性組成物の耐用期間にわたって高い認知性で揮発性組成物を空気中に送出するように構成される。放出サイクル全体にわたって揮発性組成物に印加されるエネルギーを変化させる工程は、時間の経過と共に揮発性組成物に関する消費者の認知性に影響を及ぼし得ることが分かっている。具体的には、揮発性組成物に印加される初期エネルギーブースト期間後、延長放出期間にエネルギーを低減させることで、一定期間にわたる連続的なエネルギーブースト及びエネルギーの変動の結果、ユーザーによる揮発性組成物の認知性が高まる。
【０００６】
「揮発性組成物」という用語は、本明細書で使用するとき、蒸発可能な物質を指す。したがって、「揮発性組成物」という用語には、単一の揮発性物質のみから成る組成物が包含されるが、これに限定されない。「揮発性物質」、「アロマ」、「芳香」、「香り」という用語は、本明細書で使用するとき、心地良い香り又は快い香りを含むが、これには限定されず、殺虫剤、エアフレッシュナー、脱臭剤、アロマコロジー用物質、アロマセラピー用物質として機能する物質、あるいは雰囲気を調整、緩和、もしくは他の方法で変える、又は周囲環境を変える働きをする任意のその他の物質も含む。ただし、香水、アロマ物質、及び香り付き物質を含むがこれらに限定されない特定の揮発性組成物は、（揮発性物質の集合体で構成された特有の及び／又は別個の単位を形成し得る）１つ以上の揮発性物質を含む場合が多いと理解すべきである。「揮発性組成物」という用語は、少なくとも１つの揮発性成分を有する組成物を指し、揮発性組成物の全ての成分材料が揮発性である必要はないことを理解されたい。よって、本明細書に記述される揮発性組成物はまた、非揮発性構成成分を有してもよい。揮発性組成物が「放出される」と本明細書に記述されるとき、それは揮発性構成成分の揮発を指しており、該非揮発性構成成分が放出される必要はないと理解されるべきである。本明細書の当該揮発性組成物は、固体、液体、ゲル、カプセル、及びこれらの組み合わせを含むがこれらに限定されない任意の好適な形態をとり得る。
【０００７】
揮発性組成物ディスペンサは、揮発性組成物を空気及び／又は最終的に表面に送出する様々な用途で使用されるように構成され得ることが想到される。揮発性組成物ディスペンサは様々に構成され得る。
【０００８】
例えば、揮発性組成物ディスペンサは、ハウジングと、揮発性組成物を収容するリザーバと、揮発性組成物を蒸発面に移送するために使用される送出エンジンと、蒸発面からの揮発性組成物の揮発を支援する蒸発支援要素と、を有する電気壁プラグ又は電池式揮発性組成物ディスペンサとして構成されてもよい。蒸発支援要素は、蒸発面に隣接して配置されてもよい。
【０００９】
リザーバは、いかなる好適な種類の容器も含むことができ、いかなる好適な材料で作製することもできる。リザーバに適した材料には、ガラス及びプラスチックが挙げられるが、これらに限定されない。リザーバは、揮発性組成物を保持するのに好適ないかなる種類の容器も含むことができる。リザーバはハウジングの一部であってもよく、又はハウジングなどの揮発性組成物ディスペンサの一部に脱着可能に結合された独立した構成要素であってもよい。単一のリザーバが２種類以上の揮発性組成物を保持することも可能である。そのようなリザーバは、例えば、揮発性物質用の２つ以上の区画を有することもできる。
【００１０】
送出エンジンは、蒸発面を含んでもよい。かかる構成では、送出エンジンは、揮発性組成物を空気中に揮発させるために、ヒーター又はファンなどの１つ以上の蒸発支援要素の隣に配置され得る。蒸発支援要素は、蒸発面を取り囲む、又は少なくとも部分的に取り囲んでもよい。
【００１１】
揮発性組成物を送出エンジンの蒸発面から蒸発させる代わりに、送出エンジンが揮発性組成物を別の蒸発面に移送してもよい。蒸発面は、多孔質又は半多孔質の基材、プラスチック、ガラス、又は金属のボウルもしくはプレートを含むボウル又はプレート、及びこれらの組み合わせとして構成されてよい。
【００１２】
送出エンジンは、様々な様式で構成されてよい。例えば、送出エンジンは、芯、膜、ゲル、ワックス、フェルトパッドなどの多孔質又は半多孔質の基材の形態であってもよい。同じ又は異なるリザーバに関連付けられた２つ以上の送出エンジンを備える揮発性組成物ディスペンサでは、送出エンジンは同じであっても異なっていてもよい。
【００１３】
揮発性組成物ディスペンサが送出エンジンとして芯を利用する場合、芯は様々な異なる形状及びサイズを有するように構成され得る。例えば、芯は、円筒形状又は細長い立方体形状を有してもよい。芯は、形状に依存して、長さ及び直径又は幅によって画定され得る。芯は、様々な長さを有し得る。例えば、芯の長さは、約１ミリメートル（「ｍｍ」）〜約１００ｍｍ、又は約５ｍｍ〜約７５ｍｍ、又は約１０ｍｍ〜約５０ｍｍの範囲であってよい。芯は、様々な直径又は幅を有し得る。例えば、芯の直径又は幅は、少なくとも１ｍｍ、又は少なくとも２ｍｍ、又は少なくとも３ｍｍ、又は少なくとも４ｍｍであってよい。芯は、密度を呈してもよい。芯密度は、約０．１００グラム／ｃｍ３（「ｇ／ｃｃ」）〜約１．０ｇ／ｃｃの範囲であってよい。
【００１４】
芯は、多孔質又は半多孔質の基材を含み得る。芯は、オーバーラップ（例えば、不織布シートオーバーラップ）を介して様々な形状に圧縮及び／もしくは形成されるか、又はＰＥ、ＨＤＰＥ、もしくは他のポリオレフィンなどの焼結プラスチックで作製される束ね繊維が挙げられるがこれらに限定されない、様々な材料及び構築方法で構成され得る。芯は、ポリエチレン又はポリエチレン混合物などのプラスチック材料から作製され得る。
【００１５】
蒸発支援要素は、蒸発面から揮発性組成物を蒸発させるために使用することができる。例えば、蒸発支援要素は、ヒーター、ファン、振動を生じさせる、動力付き撹拌器及び手動撹拌器の両方である撹拌部材若しくは撹拌器又はこれらの組み合わせから成る群から選択され得る。蒸発支援要素はまた、液体揮発性組成物を加熱するための加熱要素、蒸発もしくは蒸発速度を加速するための化学的成分、発熱反応を介して蒸発を増加させるための化学的に加熱された膜の使用、又はそれらの相乗作用の組み合わせを含み得る。蒸発支援要素はまた、蒸発支援要素に対して露出される送出エンジンの表面積の量を増加させることができ、圧力勾配、可変抵抗などを引き起こし得る。
【００１６】
ヒーターの形態の蒸発支援要素を有する揮発性組成物ディスペンサは、蒸発面を様々な温度に加熱するように構成され得る。例えば、揮発性組成物ディスペンサは、ヒーターが蒸発面の温度を約３０℃〜約１５０℃の温度まで上昇させるように構成され得る。ヒーターは、任意の好適な種類のヒーターを含むことができ、揮発性組成物ディスペンサ内又は揮発性組成物ディスペンサに対して任意の好適な位置に配置することができる。蒸発支援要素は、蒸発面を取り囲む、又は少なくとも部分的に取り囲んでもよい。
【００１７】
以下より詳細に説明するように、揮発性組成物ディスペンサは、蒸発支援要素を制御するための制御システムを含んでもよい。
【００１８】
図１〜３を参照すると、揮発性組成物ディスペンサ２０は、電気壁プラグ型揮発性組成物ディスペンサの形態をとることができる。揮発性組成物ディスペンサ２０はハウジング２２を有してよく、ハウジング２２は、ハウジング２２と少なくとも間接的に接合された電源２６によって電気コンセントに支持される。揮発性組成物ディスペンサ２０は、例示のためにリザーバ２８及び３０として示される、揮発性組成物を収容するための少なくとも１つのリザーバを更に備える。ハウジング２２は、リザーバ２８並びに３０、及び揮発性組成物ディスペンサ２０の他の構成部品のいずれかのホルダとして機能することができる。揮発性組成物ディスペンサ２０は、単に例示として図１〜３に芯として示される１つ以上の送出エンジン３８を備え、送出エンジンはそれぞれ一端で各リザーバ２８、３０内に延在し、他端で蒸発面４８を有する。揮発性組成物ディスペンサは、単に例示のために図１〜３に示されるようなヒーターなどの、蒸発面４８からの揮発性組成物の蒸発を支援するための１つ以上の蒸発支援要素４０、４２を含む。リザーバ２８及び３０は、第１の揮発性組成物３２及び第２の揮発性組成物３４を含むことができる。
【００１９】
揮発性組成物ディスペンサのいくつかの部分は接合されて、カートリッジ７６を形成してもよい。例えば、リザーバ、送出エンジン（単数又は複数）、蒸発面（単数又は複数）、及び／又は蒸発支援要素は、１つ以上のカートリッジ７６として共に接合されてもよい。図１を参照すると、リザーバ２８又は３０、送出エンジン３８、及び蒸発面４８は共に接続されて、カートリッジ７６を形成する。図１に示す揮発性組成物ディスペンサは、例えば、２つのカートリッジ７６を含む。
【００２０】
カートリッジ又はリザーバは、新しい、異なる、又は交換用の揮発性組成物をリザーバに提供するために交換可能であってもよい。又は、リザーバは、新たな総放出プログラムにおいて揮発性組成物ディスペンサ内で再充填及び再利用されてもよい。
【００２１】
単に例示のために図１〜３に示されるヒーター４０及び４２などのヒーターは、揮発性組成物のボトルから突出する芯を少なくとも部分的に取り囲む円形リングの形態をとる加熱要素を含んでもよい。
【００２２】
リザーバは、揮発性組成物を収容するための、図１に示すようなシール３６を含んでもよい。揮発性組成物ディスペンサ２０及び／又はリザーバ２８並びに３０は、揮発性組成物が放出されていないときに芯３８を覆うための追加シールを更に含んでもよい。
【００２３】
図１は、２つのリザーバ、２つの蒸発支援要素、及び２つの送出エンジンを示すが、揮発性組成物ディスペンサは、１つ、２つ、３つ、又はそれ以上のリザーバを含み得ることを理解されたい。揮発性組成物ディスペンサ内の各リザーバは、別個の送出エンジンを含んでもよい。単一の蒸発支援要素は、１つ以上の蒸発面に使用されてもよい、又は各蒸発面は、固有の蒸発支援要素に隣接してもよい。揮発性組成物ディスペンサが２つ以上のリザーバを含む場合、各リザーバは、異なる揮発性組成物を収容してもよい、又は同じ揮発性組成物を収容してもよい。
【００２４】
図１〜３では、揮発性組成物ディスペンサ２０は２つのリザーバを含んでいるが、揮発性組成物ディスペンサは１つ又は２つ以上のリザーバを含んでもよいことを理解されたい。１つのリザーバが存在する場合、揮発性組成物ディスペンサは、１つのリザーバとそれぞれが流体連通している１つ、２つ、又は３つ以上の送出エンジンと、送出エンジンと流体連通している１つ、２つ、又は３つ以上の蒸発面と、を含み得る。このような構成では、揮発性組成物ディスペンサは、１つ以上の蒸発支援要素を含んでもよい。２つ以上の送出エンジンが単一のリザーバと流体連通している場合、各送出エンジンは、同じ揮発性組成物を揮発させるために使用され得る。この構成により、芯などの各送出エンジンは、蒸発支援要素が低エネルギーを送出する又はオフとなる延長期間を有して、揮発性組成物を送出エンジンから排出し、場合によっては取り除くための各送出エンジン時間を設けることができる。このような構成は、送出エンジンが、揮発性組成物の成分の芯詰まりが起こり得る芯の形態である場合に特に有用であり得る。
【００２５】
芯の代わりに、送出エンジンは通気性膜から構成されてもよい。図４及び５を参照すると、揮発性組成物ディスペンサ７０はカートリッジ７６を含み得る。カートリッジ７６は、揮発性組成物を収容するための液体リザーバ７２と、米国特許第８，７０９，３３７号及び米国特許第８，９３１，７１１号に開示されているような液体リザーバ７２を囲む通気性膜の形態の送出エンジン７４と、を含んでもよい。揮発性組成物ディスペンサ７０はまた、単に例示のために図５に示されるようなファンの形態の蒸発支援要素４４を含んでもよい。本明細書で使用されるとき、通気性膜は、液体が自由に膜から流れ出るのを防止することで漏出の問題に対処する蒸気透過性膜である。
【００２６】
好適な膜としては、米国特許第７，４９８，３６９号に記載されるようなシリカが所望により充填されたＵＨＭＷＰＥタイプの膜が挙げられるが、これに限定されない。このようなＵＨＭＷＰＥ膜としては、Ｄａｒａｍｉｃから入手可能なＤａｒａｍｉｃ（商標）Ｖ５、ＤＳＭ（Ｎｅｔｈｅｒｌａｎｄｓ）から入手可能なＳｏｌｕｐｏｒ（登録商標）、ＰＰＧ  Ｉｎｄｕｓｔｒｉｅｓから入手可能なＴｅｓｌｉｎ（商標）ＳＰ１１００ＨＤ、及びこれらの組み合わせが挙げられる。他の好適な通気性膜としては、単独の、共押出された、織布もしくは不織布の、エラストマー、ゴム、固体、シリカ、又はこれらの組み合わせと混合された又は組み合わされたアセタール、アクリル、セルロース、フッ素樹脂、ポリアミド、ポリエステル、ポリビニル、ポリオレフィン、スチレンなどを含む、任意の透過性のポリマー、熱可塑性、又は熱硬化性の材料が挙げられる。また、Ｄｕｐｏｎｔから入手可能なＨｙｔｒｅｌ（商標）又はＡｒｋｅｍａから入手可能なＬｏｔｒｙｌ（商標）も好適である。図５に示されるような送出エンジン７４は、消費者が揮発性組成物ディスペンサを使用するときに破裂機構８０が係合するまで揮発性組成物を液体リザーバ内に封入しておく破裂可能基材７８を有してもよい。消費者が揮発性組成物ディスペンサを使用する準備が整った時点で、消費者は、破裂機構８０を用いて破裂可能基材７８を破裂させることによって、液体リザーバ７２内の揮発性組成物を通気性膜と接触させることができる。
【００２７】
図２を参照すると、揮発性組成物ディスペンサ２０は、揮発性組成物ディスペンサ２０によって放出される揮発性組成物を変更するスイッチ機構５０を含んでもよい。スイッチ機構５０は、揮発性組成物ディスペンサに、放出される揮発性組成物を変更させるいかなる好適な種類の機構も含むことができる。図示される実施形態では、スイッチ機構は、ヒーターなどの蒸発支援要素の作動を制御して、所望する揮発性組成物を放出させるためにヒーターをオンにする。好適なスイッチ機構として、アナログタイミング回路、デジタル回路、アナログ及びデジタル回路の組み合わせ、マイクロプロセッサ、及び形状記憶合金（ＮｉＴｉ線）又はバイメタルスイッチのような機械的作動スイッチが挙げられるが、これらに限定されない。
【００２８】
図２及び６を参照すると、スイッチ機構５０は、プリント回路基板（即ち、「ＰＣＢ」）の形態のアナログ及びデジタル回路の組み合わせを含んでもよい。回路は、非限定的な例では、片面ＰＣ基板５２と、コンデンサＣ１と、一対のダイオードＤ１及びＤ２と、３つのトランジスタＱ１、Ｑ２、及びＱ３と、５つの抵抗器Ｒ１〜Ｒ５と、３つのカウンタＵ１、Ｕ２、及びＵ３と、第３のダイオードＺ１と、を含んでもよい。蒸発支援要素がヒーターである場合、抵抗ヒーター（いくつかの種類が市販されている）を含むがこれらに限定されない任意の好適な種類のヒーターを使用することができる。ヒーター４０及び４２、並びに図６で壁搭載型電源プラグとして示される電源２６もまた、ワイヤ６６によって回路基板５２に接続される。回路の好適な構成要素を、以下の表に記載する。
【００２９】
【表１】
2021511852.tif 000003
【００３０】
回路の構成要素は、貫通孔又は表面に実装されてもよい。図６に示される構成では、貫通孔構成要素を有する３８×６６ｍｍの片面ＰＣ基板５２が使用される。ＰＣ基板５２を含む材料は、ＦＲ−４エポキシ基繊維ガラスなどの標準材料であってもよいが、任意のＵＬ認定材料も許容可能である。図６に示す電源２６は、ＰＣ基板内に約１００ｍｍのピグテールを有する成形壁プラグである。図７は、回路の一実施例の概略図である。この回路は、数十時間にわたって２つの経路間で電流を交番させるタイミング機能を提供し、各ヒーターが予め選択された時間でオン及びオフにされる。
【００３１】
スイッチ機構としては、以下の代替種類のスイッチ機構：（１）一定の回転数後、揮発性組成物ディスペンサが１つの揮発性組成物から別の揮発性組成物へ切り換えるように、揮発性組成物（単数又は複数）を分散させるために使用されるファンのモータの回転数をカウントするピックアップ付き磁気センサ、（２）周囲温度で回路を完成して、次にある温度に到達したときに切断することができる二重形状記憶合金、又はバイメタルストリップもしくはスイッチを備える揮発性組成物ディスペンサ、が挙げられるが、これらに限定されない。温度が低下すると、材料が再び回路を完成し、ヒーターをオンに維持した後にオフにするサーモスタットとしての役割を果たすために、この二方向効果を利用することができる。形状記憶合金は、ヒーターとして、並びにパルス発生器として役立ててもよい。
【００３２】
揮発性組成物ディスペンサ２０は、多くの追加オプション機能を含むことができる。揮発性組成物ディスペンサは、放出される揮発性物質が変更されたことを人が更に認知できるように、インジケータを備えてもよい。このようなインジケータは、光又は音などの視覚的及び／又は音響的であってもよい。例えば、香り付き物質の場合、そのようなインジケータにより、人は所与のときにどの香りが放出されているかが分かり得る。図６〜８を参照すると、インジケータは、光７０及び７２の形態であってもよい。別の例では、揮発性組成物ディスペンサ２０（例えば、ハウジングの全部又は一部）又はリザーバの少なくとも一部は、加熱されたときに色が変わる種類のプラスチックで作製されてもよい。
【００３３】
揮発性組成物ディスペンサには、追加のユーザー制御器を設けることができる。揮発性組成物ディスペンサは、ユーザーが電気ソケットから取り外さずに揮発性組成物ディスペンサをオンオフできるようにする電源スイッチを更に備えることができる。揮発性組成物ディスペンサには、１つ以上の揮発性組成物の別個の放出期間、及び／又は異なる揮発性組成物の放出時間又は同時の動作期間中の揮発性物質の放出時間、をユーザーが制御できるようにする制御器を設けることができる。例えば、１つの非限定的な実施形態では、揮発性組成物ディスペンサに、１５分〜４８時間の期間中に各揮発性物質を放出する能力が設けられる場合、揮発性組成物ディスペンサには、ユーザーが１つ以上の揮発性組成物の別個の放出期間を、例えば３０分間、４５分間、７２分間、又は１時間に設定できるようにする制御器を設けることができる。
【００３４】
揮発性組成物ディスペンサには、追加のユーザー制御器を設けることができる。揮発性組成物ディスペンサは、ユーザーが１つ以上の揮発性組成物の熱源の温度設定を調節できるようにするサーモスタット又は他のスイッチを含むことができる。設定は、特定の揮発性組成物に対して定義されてもよい、又は芯に加えられる選択された温度に基づいて調節可能であってもよい。設定は、例えば、ユーザーが、揮発性組成物ディスペンサ上に直接、又は遠隔制御（コンピュータ、電話など）を通じて遠隔に設定することができる、低及び高設定、又は低、中、及び高設定を含んでもよい。装置は、１つ、２つ、３つ、４つ、５つ、６つ、又はそれ以上の異なる強度設定を有してもよい。設定は、強度（即ち、高、中、低など）又は部屋型（即ち、浴室、寝室、リビング、台所など）として標示されてもよい。
【００３５】
揮発性組成物ディスペンサはセンサも含んでもよく、センサの読み取り値を調整するようにプログラムされてもよい。例えば、揮発性組成物ディスペンサは、温度センサ、相対湿度センサ、揮発性材料センサ、光センサ（例えば、日／夜を検出する）などのセンサを含んでもよい。
【００３６】
揮発性組成物ディスペンサは、無線通信リンクを使用して、センサ（単数又は複数）、蒸発支援要素、ユーザーインターフェースなどを含む、ディスペンサの様々な構成要素と通信可能に接続可能であってもよい。８０２．１１（Ｗｉ−Ｆｉ）、８０２．１５．４（ＺｉｇＢｅｅ、６ＬｏＷＰＡＮ、Ｔｈｒｅａｄ、ＪｅｎｎｅｔＩＰ）、Ｂｌｕｅｔｏｏｔｈ、これらの組み合わせなどを含む様々な無線通信リンクが使用され得る。接続は、アドホックメッシュネットワークプロトコルを介してもよい。コントローラは、コントローラを用いてシステムの各種構成要素との無線通信リンクを確立するために、無線通信モジュールを含んでもよい。このような通信リンクを確立するために、当該技術分野において既知な任意のモジュールを利用することができる。コントローラは、ＮＥＳＴ（登録商標）学習サーモスタットなどの機械学習アルゴリズムを利用することを含んでもよい。
【００３７】
カートリッジ又はリザーバは、ＲＦＩＤタグなどの識別タグを含んでもよく、揮発性組成物ディスペンサのハウジングが、ＲＦＩＤタグリーダーを含んでもよい。ＲＦＩＤタグは、香りなどのカートリッジ又はリザーバに収容された揮発性組成物についてコントローラの詳細を試験するために使用されてもよい。揮発性組成物ディスペンサは、ＲＦＩＤタグから読み取られた情報を考慮するように調節するプログラムを含んでもよい。
【００３８】
揮発性組成物ディスペンサは、カートリッジ又はリザーバと接触すると、揮発性組成物が満杯の新たな又は再充填されたカートリッジ又はリザーバが挿入されていること、古いカートリッジ又はリザーバが取り外されていることなどを含むが、これらに限定されないことを示す信号を揮発性組成物ディスペンサに提供する触知スイッチ又は表示点を含んでもよい。ＰＣＢは、これらの信号を解釈し、例えば、揮発性組成物が「満杯」である新たな又は再充填されたカートリッジ用の総放出プログラムを開始するようにプログラムされた命令を、揮発性組成物ディスペンサに実行させる。
【００３９】
揮発性組成物ディスペンサはまた、揮発性組成物ディスペンサと揮発性組成物の１つ以上のリザーバとを含むキットの形態で販売することができる。揮発性組成物ディスペンサ及び／又はキットはまた、所望の結果を生じるために使用され得る別個の放出期間についてユーザーに指示する使用命令、及び／又は揮発性組成物ディスペンサを所与の空間に配置する場所に関する命令を更に含むことができる。例えば、命令は、揮発性組成物ディスペンサが配置される部屋や車両などのサイズに基づいて揮発性組成物ディスペンサを設定するための命令を含んでもよい。このような命令は、香りにより気づきやすくなるように、香り付き物質の放出をより頻繁に行うユーザーへの命令も含み得る。また、命令は、揮発性組成物ディスペンサを他の揮発性組成物ディスペンサに対してどのように動作させるかを指定するために提供されてもよい。命令は、例えば、書面、音声、及び／又は映像などの任意の好適な形態で提供することができる。
【００４０】
揮発性組成物ディスペンサは、プラグ又は電池などの電源を含んでもよい。揮発性組成物ディスペンサは、電気コンセントに差し込む必要がないように電池式であってもよい。プラグが電源として電気コンセントに接続される場合、プラグはコードを含んでもよい、又は壁搭載型プラグであってもよい。揮発性組成物ディスペンサはまた、電源に差し込まれ、電源から電力を供給されるように構成されてもよく、電池式であってもよい。揮発性組成物ディスペンサは、車両内のタバコ用ライターに差し込めるように、アダプタが設けられてもよい。また、揮発性組成物ディスペンサは、ユーザーが揮発性組成物ディスペンサに触ることなく揮発性組成物ディスペンサの放出特性のいずれか又は全てを制御できる（放出される揮発性物質の変更が挙げられるが、これに限定されない）ようにする遠隔制御器が設けられてもよい。
【００４１】
揮発性組成物ディスペンサは、アナログ回路と比べて構成部品が少なく、ロット毎の回路品質が向上したマイクロプロセッサを備えてもよい。マイクロプロセッサは、性能を変化させる変調によって、ユーザーが温度プロフィールをプログラミングしかつ制御できるようにすることが可能である。必要に応じて、マイクロプロセッサはユーザーインターフェースに接続されてもよい。これは、任意の好適なタイプのユーザーインターフェースであることができる。ユーザーインターフェースの種類の例としては、ＬＣＤスクリーン及びＬＥＤ、ボタン（側方に移動するプッシュボタン又はボタン）、ダイヤルなどが挙げられるが、これらに限定されない。また、マイクロプロセッサの構成要素により、複数の揮発性組成物ディスペンサ（例えば、部屋の異なる部位、又は異なる部屋に配置された装置）は相互に通信することができる。例えば、マイクロプロセッサは、遠隔制御により、赤外線を介してデジタル信号を送信して、別の揮発性組成物ディスペンサをオン又はオフにすることができる。
【００４２】
ヒーター又はファンなどの蒸発支援要素は、様々な動作条件で動作するようにプログラムされてもよい。以下でより詳細に説明するように、蒸発支援要素は、様々な別個の放出期間、任意の蒸発支援要素の放出間の間隙、経時的に変化するエネルギープロファイル、ランダム化されたエネルギープロファイル、同時放出期間、及びこれらの組み合わせを有するように構成されてもよい。これらの動作方法のそれぞれは、単独で又は組み合わせて、揮発性組成物のユーザーの認知性を促進する、及び／又は揮発性組成物の短期的又は長期的な慣れの可能性を低減することができる。
【００４３】
本明細書で使用されるとき、「別個の放出期間」という用語は、所与の揮発性組成物が放出シーケンスで放出される個々の期間を指す。この期間は、一般に、蒸発支援要素が揮発性組成物の所与の充填のためにオンにされる期間に対応し得るが、蒸発支援要素の動作と揮発性組成物の放出との間にわずかな遅れが存在し得る。本明細書で使用されるとき、「延長放出期間」という用語は、蒸発支援要素がオフである動作中の間隙によって分離され得る複数の連続する別個の放出期間を含む。
【００４４】
「総放出プログラム」は、エネルギーブースト及び延長放出期間を構成する、全ての別個の放出期間及び放出の間隙のためのオフ時間を含む、カートリッジ内の揮発性組成物の「充填」体積の開始時から終了時までのシーケンス全体を指す。本明細書で使用されるとき、「充填」又は「充填された」は、リザーバ内の利用可能な体積の全部又は略全部を占めることが意図される揮発性組成物の量を指し、これは、送出エンジンなどのリザーバ内に配置され得る揮発性組成物ディスペンサの任意の他の要素によって占められる任意の体積を除く。リザーバは、典型的には、リザーバの全利用可能容積の少なくとも８０％、８５％、９０％、又は９５％まで揮発性組成物によって占有又は充填される。次いで、総放出プログラムは、リザーバ内の揮発性組成物の全部又は略全部を蒸発させるように設計される。
【００４５】
総放出プログラムは連続的であってもよい。「連続」という用語は、放出プログラムを参照して使用されるとき、いったんプログラムが開始されれば、全期間にわたる計画された放出シーケンスが存在することを意味する。この放出プログラムは、上述したように、放出中の間隙が存在する期間を含むことができる。これは、連続的な放出プログラムであると考えられるが、必ずしも揮発性組成物の連続的な放出が存在しなくてもよい。しかしながら、需要に応じて、放出プログラムがユーザーによって中断可能である（例えば、オフにされる）ことが可能であることを理解されたい。したがって、本方法は、ユーザーインターフェースを提供することができ、ユーザーインターフェースにより、ユーザーは放出プログラムを中断することができる。放出プログラムは、揮発性組成物の少なくとも１つがカートリッジから実質的に枯渇するまで連続的に、又は略連続的に動作するように設計されてもよい。放出プログラムは、揮発性組成物の全てが実質的に枯渇するまで連続的に実行され、このため、略同時に行われることが望ましい場合がある。
【００４６】
総放出プログラムが中断される場合、ディスペンサは、揮発性組成物ディスペンサが電源から切り離されたときに開始された最後の放出シーケンスを記録するためのメモリを備えて構成されてもよい。揮発性組成物ディスペンサの動作が再開されると、最後に記録されたシーケンスのメモリは、総放出プログラムを正確な放出シーケンスに戻すように復活させる。総放出プログラムは、新たな又は再充填されたリザーバ／カートリッジがハウジング内に設置されるプログラムの開始時にのみ再起動することができる。
【００４７】
総放出プログラムは、１０日間、好ましくは１５日間、好ましくは２０日間、好ましくは２５日間、好ましくは３０日間、より好ましくは４５日間、より好ましくは６０日間、より好ましくは９０日間、より好ましくは１３０日間、より好ましくは１５０日間、又はより短いもしくはより長い期間、又は３０〜１５０日の任意の期間を含み得るが、これらに限定されない。
【００４８】
揮発性組成物ディスペンサ内の各蒸発支援要素の別個の放出期間は、２分〜４８時間、あるいは５分〜４８時間、あるいは１０分〜４８時間、あるいは１５分〜４８時間、あるいは２０分〜２４時間、あるいは３０分〜８時間、あるいは４５分〜４時間の範囲であり得る。蒸発支援要素によって供給されるエネルギーが大きいほど、例えば、ヒーターによって与えられる温度が高いほど、空気中に認知可能な量の揮発性組成物を提供するために必要とされ得る別個の放出期間が短くなる。
【００４９】
特定の蒸発支援要素の別個の放出期間中、蒸発支援要素は、連続的にオンになる。２つ以上の蒸発支援要素を備える揮発性組成物ディスペンサでは、蒸発支援要素は、交互に起こる別個の放出期間を有し得る。交互システムでは、１つの蒸発支援要素がオンにされる一方、他の蒸発支援要素（単数又は複数）がオフにされてもよい。又は、１つ以上の蒸発支援要素が所与の時間にオンにされてもよい。２つ以上の蒸発支援要素の動作は、ある期間にわたって重複し得る。各蒸発支援要素の別個の放出期間が長いほど、ユーザーの認知性を高めるために、周囲空間における揮発性組成物の濃度が高くなる可能性がある。また、全ての蒸発支援要素がオフにされる期間も存在し得る。各蒸発支援要素は、同じ別個の放出期間を有するように構成されてもよい、又は蒸発支援要素の一部又は全部が、異なる別個の放出期間を有するように構成されてもよい。
【００５０】
蒸発面からの揮発性組成物の蒸発速度は、総放出プログラムにわたって５ｍｇ／時〜２００ｍｇ／時、好ましくは１０ｍｇ／時〜１００ｍｇ／時、より好ましくは１０ｍｇ／時〜８０ｍｇ／時、より好ましくは１５ｍｇ／時〜６０ｍｇ／時、より好ましくは１５ｍｇ／時〜５０ｍｇ／時、より好ましくは１５ｍｇ／時〜３５ｍｇ／時であり得る。
【００５１】
総放出プログラムの終了付近では、揮発性組成物ディスペンサは、プラグを抜かれて、新しいカートリッジ又はリザーバが設置されるまで、最高温度又はファン速度などの最大電力出力又はその付近で動作することができる。
【００５２】
総放出プログラムは、揮発性組成物がリザーバから枯渇したときに蒸発支援要素をオフにするように構成されてもよい。例えば、蒸発支援要素は、所定の強度設定のための所定の期間後にオフになってもよい。蒸発支援要素をオフにすることによって、リザーバが再充填される、又は新たな揮発性組成物充填物と交換されるまで、エネルギーは蒸発支援要素から印加されない。
【００５３】
変動エネルギー
総放出プログラムにわたって蒸発面によって印加されるエネルギーを変化させることは、揮発性組成物の消費者の認知性を向上させ、揮発性組成物の慣れを防止するのに役立てることができる。揮発性組成物ディスペンサから蒸発した揮発性組成物の認知性を高め、揮発性組成物ディスペンサ中の揮発性組成物の寿命にわたって認知性が継続的に低下することを防止するため、蒸発速度は、一定、略一定、漸増、又は可変であってもよい。一定、略一定、漸増、又は可変の蒸発速度を達成するために、蒸発支援要素によって蒸発面に印加されるエネルギーを変化させて、総放出プログラムにわたって所望の蒸発プロファイルを達成することができる。例えば、一定、略一定、又は漸増する蒸発速度を提供するため、蒸発支援要素の電力及び／又は蒸発支援要素のオン時間を、継続的に増加させることができる。蒸発速度を漸増させるために蒸発支援要素によって提供される電力及び／又は蒸発支援要素のオン時間は、一定又は略一定の蒸発速度を維持するようにプログラムされた蒸発支援要素の動作よりも、印加電力及び／又は蒸発支援要素のオン時間を大きくする必要があり得る。全放出サイクルにわたってランダム又は可変の蒸発速度を生成するために、蒸発支援要素によって印加される電力及び／又は蒸発支援要素のオン時間は、経時的に増加、維持、及び／又は減少させることができる。蒸発面に印加されるエネルギーは、様々な周波数で調節され得る。
【００５４】
蒸発支援要素を介して蒸発面に印加されるエネルギーは、熱、発熱反応、空気流などの形態であってもよい。長期間にわたって蒸発支援要素を動作させることは、比較的短期間にわたって蒸発支援要素への電力を増加させるのと同じ、同様、又は追加の効果を揮発性組成物の蒸発に及ぼすことができる。単独で、又は蒸発支援要素の選択と組み合わせて、蒸発面に印加されるエネルギーを増加させるもう１つの方法は、蒸発支援要素に対して露出される蒸発面の表面積の量を調節することを含み得る。例えば、エネルギーブーストは、蒸発支援要素に対してより多くの蒸発面を露出させることを含み得る。同様に、エネルギーの減少も、蒸発面の露出表面積の減少に起因し得る。
【００５５】
蒸発面に印加されるエネルギーは、総放出プログラム内の任意の所与の点で増加、減少、又は維持させることができる。エネルギーを増加させた（「エネルギーブースト」）、エネルギーを減少させた、及び／又はエネルギーを維持させた延長放出期間の組み合わせを有する総放出プログラムは、揮発性組成物ディスペンサに、市販の揮発性組成物ディスペンサよりも高い消費者の受容度を提供することが判明している。
【００５６】
また、消費者はカートリッジの寿命開始時に、揮発性組成物の最小レベルの認知性を期待することが分かっている。寿命開始時のこの期待を満たす揮発性組成物ディスペンサは、実際に、寿命の開始時だけでなく総放出プログラムにおいて、揮発性組成物ディスペンサに対する消費者の受容度を向上させることができる。したがって、消費者の最小レベルの認知性要件を満たす又は超えるために、総放出プログラムの開始時には、比較的高いエネルギーのエネルギーブースト期間が望ましい場合がある。したがって、揮発性組成物ディスペンサの総放出プログラムの最初の２４動作時間に蒸発面に印加される初期エネルギーブースト期間は、揮発性組成物の消費者の最小の所望蒸発速度を満たす又は超えるのに十分な長さであるべきである。
【００５７】
リザーバ内の揮発性組成物の寿命全体での様々な延長放出期間におけるエネルギーブーストは、蒸発面からの揮発性組成物の蒸発速度を経時的に維持又は上昇させることによって、総放出プログラムにわたる揮発性組成物の認知性を高めることができる。
【００５８】
総放出プログラムはまた、蒸発面に印加されるエネルギーを減少させた延長放出期間を含んでもよい。期間にわたって蒸発面に印加されるエネルギーを減少させることにより、揮発性組成物を節約することで、揮発性組成物が総放出プログラムの総時間を延長させることができる。蒸発面に印加されるエネルギーを減少させることはまた、後続のエネルギーブーストが、同じ期間にわたるエネルギーのより大きな変化をもたらし得るため、経時的な認知性を向上させることができる。
【００５９】
総放出プログラムは、蒸発面に印加されるエネルギーを維持させた延長放出期間を含んでもよい。エネルギーブーストの期間の間に蒸発面に印加されるエネルギーを維持することで、揮発性組成物を節約して、カートリッジからの揮発性組成物の枯渇を先に延ばすことができる。消費者の認知性を高めるために必要とされるよりも高い頻度でエネルギーを印加することで、必要とされるよりも多くの揮発性組成物を揮発させることができる。
【００６０】
延長放出期間は、エネルギーを減少させる期間、エネルギーを維持する期間、前のもしくは次のエネルギーブーストのエネルギー未満でエネルギーを比較的小さく増加させる期間、又はこれらの組み合わせを含んでもよい。
【００６１】
エネルギーブースト期間の長さは、エネルギーを減少させる及び／又は維持する延長放出期間の長さの最大半分まで延長してもよい。又は、エネルギーブーストの長さは、エネルギーを減少させる及び／又は維持する延長放出期間の長さの最大３分の１まで延長してもよい。エネルギーブーストは、間に延長放出期間を挟んで、１日１回、１週間に１回、又は２週間に１回行われてもよい。
【００６２】
蒸発支援要素（単数又は複数）がヒーターである構成では、エネルギーブーストは、温度の上昇を含み得る。このような構成では、１つのエネルギーブーストは、約４０℃〜約８０℃の範囲の温度であってもよく、次のエネルギーブーストは、約５０℃〜約９０℃の範囲の温度であってもよく、次のエネルギーブーストは、約６０℃〜約１００℃の範囲の温度であってもよい。
【００６３】
エネルギーが、蒸発支援要素（単数又は複数）の別個の放出期間の時間長をとおして調節される構成では、１つのエネルギーブーストは、２０分〜９０分の別個の放出期間（単数又は複数）を有してもよく、次のエネルギーブーストは、４０分〜１１０分の別個の放出期間（単数又は複数）を有してもよく、次のエネルギーブーストは、６０分〜１３０分の別個の放出期間（単数又は複数）を有してもよい。
【００６４】
エネルギーブースト期間は、エネルギーブースト期間の直前に印加されるエネルギーの少なくとも５％、又は少なくとも１０％、又は少なくとも１５％、又は少なくとも２０％、又は少なくとも３０％、又は少なくとも４０％、又は少なくとも５０％、又は少なくとも６０％、又は少なくとも７５％、又は少なくとも１００％、又は少なくとも１５０％、又は少なくとも２００％、エネルギーを増加させることができる。エネルギーブースト期間におけるエネルギーの増加が大きいほど、エネルギーブースト期間中及びエネルギーブースト期間後に、消費者にとって揮発性組成物の認知性が高まり得る。総放出プログラムにおける連続的なエネルギーブースト期間は、所望の均一又は上昇した蒸発速度を達成するために、前のエネルギーブースト期間よりも高いパーセントで増加し得る。
【００６５】
エネルギーブースト期間は、エネルギーブースト期間前の蒸発速度の少なくとも５％、又は少なくとも１０％、又は少なくとも１５％、又は少なくとも２０％、又は少なくとも３０％、又は少なくとも４０％、又は少なくとも５０％、又は少なくとも６０％、又は少なくとも７５％、又は少なくとも１００％、又は少なくとも１５０％、又は少なくとも２００％、蒸発速度を上昇させ得る。
【００６６】
エネルギーブースト期間は、リザーバ内の揮発性組成物の寿命を延ばすために、延長放出期間の時間長より短い時間長にわたって発生させ得る。したがって、エネルギーブースト期間の時間長は、延長放出期間の長さの半分以下であってもよい、又はエネルギーブースト期間の長さは、延長放出期間の長さの３分の１以下であってもよい。エネルギーブースト期間は、１日にわたって発生させてもよく、延長放出期間は、例えば２〜６日間にわたって発生させてもよい。又は、エネルギーブーストは、２日間にわたって発生させてもよく、延長放出期間は、例えば４〜６日間にわたって発生させてもよい。
【００６７】
詳細な説明及び特許請求の範囲を通じて、エネルギーブーストは、「第１のエネルギーブースト」、「第２のエネルギーブースト」、「第３のエネルギーブースト」などと称される場合がある。「エネルギーブースト」という用語と共に使用される数字は、異なるエネルギーブースト間の差異に対してのみ使用され、エネルギーブーストが発生する順序を限定することを意図するものではないと理解されたい。即ち、追加のエネルギーブースト又は複数のエネルギーブーストが、２つの連続して番号付けされたエネルギーブースト間で発生してもよい。例えば、「第２のエネルギーブースト」及び「第３のエネルギーブースト」は、追加の１つ以上のエネルギーブーストによって分離されてもよい。
【００６８】
総放出プログラムは、以下に記載され、図８に例示されるエネルギーブースト期間及び延長放出期間を有するプログラム１のような計画された放出シーケンスに従うことができる。
【００６９】
プログラム１：
１．第１のエネルギーでの第１のエネルギーブースト、
２．第１のエネルギー未満にエネルギーを減少させる又はエネルギーを一定とする第１の延長放出期間、
３．第２のエネルギーでの第２のエネルギーブースト、
４．第２のエネルギーで動作する第２の延長放出期間、
５．第３のエネルギーブースト、
６．第３のエネルギーで動作する第３の延長放出期間、
７．第４のエネルギーブースト、
８．第４のエネルギーで動作する第４の延長放出期間、
９．第５のエネルギーブースト、
１０．第５のエネルギーで動作する第５の延長放出期間。
【００７０】
プログラム１におけるエネルギーは、所与の期間、蒸発支援要素が動作する最大電力出力に占めるパーセントを調節することによって変更した。最大電力出力に占める％を変更することは、単独で、又は２つ以上の蒸発支援要素を有するシステム内の別個の放出期間の調節と組み合わせて使用することができる。
【００７１】
プログラム１の結果、図９に示す蒸発速度がもたらされる。概して、揮発性組成物の蒸発速度は、初期蒸発速度で開始し、徐々に低下し、印加されるエネルギーブースト毎に上昇し、次いで略一定となる又は非常に緩やかに低下する。エネルギーブーストは、総放出プログラムにわたって消費者の認知性を高める。総放出プログラムにわたるエネルギーブーストと、それに続きエネルギーが維持される延長放出期間の結果、図１０に示されるように、経時的に蒸発速度が徐々に低下する現在の市販の制御装置と比較して、経時的に消費者にとって好ましい狭い蒸発速度範囲内での動作がもたらされる。
【００７２】
プログラム１は、追加の延長放出期間を含む、又はより少ない延長放出期間を含むように修正されてもよい。プログラム１は、追加の又はより少ないエネルギーブースト期間を含むことができる。総放出プログラムの各延長放出期間は、異なる時間長にわたって持続し得る。例えば、エネルギーブーストは、１日又は２日間にわたって印加されてもよい。エネルギー及び／又はエネルギーを維持する期間を減少させる別個の放出工程は、少なくとも１日間、又は少なくとも２日間、又は少なくとも３日間、又は少なくとも４日間、又は少なくとも５日間、又は少なくとも６日間持続し得る。
【００７３】
総放出プログラムは、以下に記載され、図１１に例示されるエネルギーブースト及び延長放出期間を有するプログラム２のような計画された放出シーケンスに従うことができる。
【００７４】
１１．第１のエネルギーでの第１のエネルギーブースト、
１２．第１のエネルギー未満にエネルギーを減少させる又はエネルギーを一定とする第１の延長放出期間、
１３．第２のエネルギーでの第２のエネルギーブースト、
１４．第２のエネルギーで動作する第２の延長放出期間、
１５．第３のエネルギーブースト、
１６．第３のエネルギーで動作する第３の延長放出期間、
１７．第４のエネルギーブースト、
１８．第４のエネルギーで動作する第４の延長放出期間、
１９．第５のエネルギーブースト、
２０．第５のエネルギーで動作する第５の延長放出期間。
【００７５】
プログラム２におけるエネルギーは、所与の期間、蒸発支援要素が動作する最大電力出力に占めるパーセントを調節することによって変更した。最大電力出力に占める％を変更することは、単独で、又は２つ以上の蒸発支援要素を有するシステム内の別個の放出期間の調節と組み合わせて使用することができる。
【００７６】
揮発性組成物ディスペンサは、例えば、高、中、及び低又は高及び低などの、複数のユーザー制御設定を有するように構成されてもよい。図１２は、高、中、及び低設定を有する揮発性組成物ディスペンサ用のプログラム２の総放出プログラムを示す。高、中、及び低設定に関しては、蒸発面に印加されるエネルギーは、総放出プログラムにわたってプログラム２の同じ概略的な延長放出期間に従うが、エネルギーレベルが異なり、高は最も高いエネルギーレベルを使用し、低は最も低いエネルギーレベルを使用する。
【００７７】
プログラム２は、追加のエネルギーブースト、又はエネルギーを減少させる、もしくはエネルギーを維持する追加の延長放出期間を含むように修正されてもよい。プログラム２はまた、示されるよりも少ない延長放出期間を含むように修正されてもよい。総放出プログラムの各延長放出期間は、異なる時間長にわたって持続し得る。例えば、エネルギーブーストは、１日又は２日間にわたって印加されてもよい。エネルギー及び／又はエネルギーを維持する期間を減少させる延長放出期間は、少なくとも１日間、又は少なくとも２日間、又は少なくとも３日間、又は少なくとも４日間、又は少なくとも５日間、又は少なくとも６日間持続し得る。
【００７８】
総放出プログラムは、以下に記載され、図１３に例示されるプログラム３のような計画された放出シーケンスに従うことができる。
【００７９】
１．第１のエネルギーでの第１のエネルギーブースト、
２．第１のエネルギー未満にエネルギーを減少させる又はエネルギーを一定とする第１の延長放出期間、
３．第２のエネルギーでの第２のエネルギーブースト、
４．第２のエネルギーで動作する第２の延長放出期間、
５．第３のエネルギーでの第３のエネルギーブースト、
６．第３のエネルギー未満で動作する第３の延長放出期間、
７．第４のエネルギーでの第４のエネルギーブースト、
８．第４のエネルギー未満で動作する第４の延長放出期間、
９．第５のエネルギーでの第５のエネルギーブースト、
１０．第５のエネルギー未満で動作する第５の延長放出期間、
１１．第６のエネルギーでの第６のエネルギーブースト、
１２．第６のエネルギー未満で動作する第６の延長放出期間、
１３．第７のエネルギーでの第７のエネルギーブースト、
１４．第７のエネルギー未満で動作する第７の延長放出期間。
【００８０】
プログラム３のエネルギーは、蒸発支援要素の別個の放出期間の長さを調整することによって変更した。別個の放出期間の長さを変更することは、単独で、又は蒸発支援要素の最大電力出力に占めるパーセントの変更と組み合わせて使用することができる。
【００８１】
揮発性組成物ディスペンサ用のプログラム３の総放出プログラムは、図１３に示す高、中、及び低設定を有する。高、中、及び低設定では、蒸発面に印加されるエネルギーは、総放出プログラムにわたってプログラム３の同じ概略的な延長放出期間に従うが、蒸発支援要素の別個の放出期間の長さが異なり、高は最長の別個の放出期間を有し、低は最短の別個の放出期間を有する。
【００８２】
プログラム３は、追加のエネルギーブースト、又はエネルギーを減少させる、もしくはエネルギーを維持する追加の延長放出期間を含むように修正されてもよい。プログラム３はまた、示されるよりも少ない延長放出期間を含むように修正されてもよい。総放出プログラムの各延長放出期間は、異なる長さの時間、持続し得る。例えば、エネルギーブーストは、１日又は２日間にわたって印加されてもよい。エネルギー及び／又はエネルギーを維持する期間を減少させる延長放出期間は、少なくとも１日間、又は少なくとも２日間、又は少なくとも３日間、又は少なくとも４日間、又は少なくとも５日間、又は少なくとも６日間持続し得る。
【００８３】
プログラム１、２、及び３、又はそれらの任意の修正は、１つ以上の蒸発支援要素、蒸発面、及び／又はカートリッジを有する揮発性組成物ディスペンサに使用され得る。各蒸発支援要素は、プログラム１、２、３、もしくはその任意の修正に従うことができる、又は１つの蒸発支援要素が、プログラム１、２、３、もしくはその任意の修正に従い、任意の追加の蒸発支援要素が、プログラム１、２、３、もしくはその任意の修正下で動作する蒸発支援要素と共に、別の総放出プログラムに従うことができる。蒸発支援要素は、同じ又は異なる総放出プログラムの動作を交互に入れ替えてもよい。
【００８４】
均一な蒸発
総放出プログラムは、概して、経時的に均一な蒸発を達成するように構成され得る。蒸発面に印加されるエネルギーを増加させることで、リザーバ内の揮発性組成物の寿命全体にわたって平均的な蒸発速度がもたらされる。エネルギーは、複数の間隔にわたって３％〜５００％、好ましくは５％〜３００％、より好ましくは１０％〜２００％、より好ましくは１５％〜１００％増加させてもよい。間隔は、１〜２０日毎、好ましくは１〜１５日毎、より好ましくは１〜１０日毎、より好ましくは１〜７日毎に、エネルギーブーストを含んでもよい。均一な蒸発速度のグラフを図１４に示す。
【００８５】
蒸発速度の上昇
別の操作方法は、蒸発面に印加されるエネルギーを経時的に増加させて、規則的に上昇する平均蒸発速度をもたらすことを含む。蒸発速度を上昇させるため、蒸発面に印加されるエネルギーは、規則的な間隔で３％〜５００％上昇させ得る。規則的な間隔は、１〜２０日毎、好ましくは１〜１５日毎、より好ましくは１〜１０日毎、より好ましくは１〜７日毎にエネルギーを増加させ得る。新たに確立された各蒸発速度は、前の蒸発速度よりも１％〜５００％、より好ましくは前の蒸発速度よりも５％〜４００％、より好ましくは前の蒸発速度より１０％〜３００％、より好ましくは前の蒸発速度の１０％〜２５０％、より好ましくは前の蒸発速度の１０％〜２００％速い。平均蒸発速度の上昇を示すグラフを図１５に示す。
【００８６】
ランダム蒸発速度
別の操作方法は、蒸発面に印加されるエネルギーを規則的又は不規則的な間隔で３％〜５００％増加又は減少させて、不規則に上昇又は低下するように変化する平均蒸発速度をもたらすことを含む。新たに確立された各蒸発速度は、前の蒸発速度よりも１％〜５００％、より好ましくは前の蒸発速度よりも５％〜４００％、より好ましくは前の蒸発速度よりも１０％〜３００％、より好ましくは前の蒸発速度よりも１０％〜２５０％、より好ましくは前の蒸発速度よりも１０％〜２００％速い又は遅い。揮発性組成物の寿命全体にわたって横ばいであるランダム蒸発速度のグラフを図１６に示す。揮発性組成物の寿命全体にわたって増加するランダム蒸発速度のグラフを図１７に示す。蒸発速度を経時的に変化させることで、別個の放出期間がいつ開始又は停止するかをユーザーが予測できないため、ユーザーが揮発性組成物に慣れる可能性を低減することができる。
【００８７】
蒸発面に印加されるエネルギーが経時的に増加する場合、該方法は、広いエネルギー範囲で動作することを含み得る。例えば、ヒーターとして構成された蒸発支援要素に関しては、各リザーバに収容された揮発性組成物の寿命全体にわたって、各蒸発支援要素は、約２５℃で開始し約１２０℃で終了する、より好ましくは約３５℃で開始し約１１０℃で終了する、より好ましくは約４０℃で開始し約１１０℃で終了する、より好ましくは約４０℃で開始し約１００℃で終了する、より好ましくは約４５℃で開始し約１００℃で終了する、より好ましくは約５０℃で開始し約９０℃で終了する温度範囲にわたって動作するように構成されてもよい。
【００８８】
各蒸発支援要素は、システム内の任意の他の蒸発支援要素とは異なる温度を有し得る。更に、これらの蒸発支援要素の温度（各蒸発支援要素の場合）は、新たな別個の放出期間が開始されるたびに、増加又は減少のいずれかで変更させることができる。
【００８９】
揮発性組成物の寿命全体にわたって蒸発支援要素の温度を変化させることに加えて、又はこれとは別に、蒸発速度を交互にする他の方法は、送出エンジンの表面積を増加もしくは減少させること、又は蒸発支援要素に対して露出される蒸発面を増加又は減少させること、及び／又は送出エンジンもしくは蒸発面への空気流を増加もしくは減少させることを含み得る。温度、空気流、及び表面積の調節は、送出エンジン又は蒸発面からの揮発性組成物の蒸発速度を制御するために、個々に又は並列に行われてもよい。
【００９０】
揮発性組成物ディスペンサの総放出プログラムは、エネルギー変更、間隙期間、ランダム放出期間、及び／又は１つ以上の蒸発面及び１つ以上の蒸発支援要素での同時放出を含む、１つ以上の方法を含んでもよい。エネルギー変更、間隙期間、ランダム放出期間、及び／又は同時放出期間は、空間内の揮発性組成物のユーザーの認知性を向上させる、及び／又はユーザーが１つ以上の揮発性組成物に慣れる可能性を低減させる方法をもたらし得る。
【００９１】
間隙期間
総放出プログラムは、揮発性組成物ディスペンサの全ての蒸発支援要素がオフにされる間隙期間（「間隙期間」）を含んでもよい。間隙期間を導入することによって、空間内の揮発性組成物の認知性が低下して、ユーザーが揮発性組成物に慣れにくくなる。
【００９２】
同等の結果を達成するために使用され得るもう１つの方法は、蒸発面に提供されるエネルギーが、揮発性組成物の臭気検出閾値（「ＯＤＴ」）に十分なレベルで揮発性組成物を蒸発させるのに必要なエネルギーを下回るように、蒸発支援要素のエネルギーを定期的に減少させることである。蒸発速度の低下とＯＤＴ未満のレベルでの動作は、感覚刺激からの遮断をもたらすことで、刺激が再導入されるときの認知性を増強させることができる。この動作はまた、次のサイクル相の開始時に定常状態に戻すため、周囲条件よりも増強された状態に蒸発面を維持して、反応時間を早める、及び／又はエネルギーを減少させることができる。蒸発支援要素をオフにする代わりに、放出を低下させて動作する実施例を図１８に示す。
【００９３】
揮発性組成物のＯＤＴ未満で動作することは、換言すれば、蒸発支援要素を最大電力出力の３０％未満、又は最大電力出力の２５％未満、又は最大電力出力の２０％未満、又は最大電力出力の１５％未満、又は最大電力出力の１０％未満で、動作させることであり得る。
【００９４】
上記の様々な構成で動作させるようにヒーター及びファンなどの蒸発支援要素をプログラムするための多くの異なるアプローチが存在する。非限定的な例として、揮発性組成物ディスペンサが、ヒーターの形態で２つの蒸発支援要素、ヒーターＡ及びヒーターＢを含む場合、ヒーターＢのオフ時間は、ヒーターＡの動作のオン時間に等しく、並列（例えば、ヒーターＡが動作している間にヒーターＢが同時にオフになる）又は直列（例えば、ヒーターＡが３０分間オンとなり、次いでヒーターＢが３０分間オフとなる）に発生する。各ヒーターのオフ時間は、０分〜４８時間、好ましくは５分〜２４時間、より好ましくは１０分〜２４時間の期間であってもよい。蒸発支援要素のオフ時間をプログラミングするもう１つのアプローチは、以下のように定義され得る。
ヒーターＢ（又はヒーターＣ、ヒーターＤなどの任意の追加のヒーターもしくは蒸発支援要素）のオフ時間＝Ｄ１＋Ａ１＋Ｄ２
式中、
Ａ１＝ヒーターＡのオン時間
Ｄ１＝０分間〜ヒーターＡの最大動作時間（例えば、ヒーターＡが３００分間オンである場合、Ｄ１＝０分〜３００分の期間）の遮断係数及び
Ｄ２＝時間の「候補リスト」（１分、２分．．．．．．１４４０分）から選択される遮断係数。Ｄ２は、予め定義する、アレイから選択する、「候補リスト」からランダムに選択する、又は乱数発生器を介して選択することができる。
【００９５】
揮発性組成物ディスペンサの例示的なプログラムは、次のように定義され得る。ヒーターＡがオンとなり、最大６０分間加熱する。ヒーターＡがオンである間、（並列動作では）ヒーターＢは時間全体にわたってオフである。次に、ヒーターＡがオフになり、ヒーターＢがオンになり、ヒーターＡが動作したのと同じ時間、動作する（ヒーターＢがオンである間、ヒーターＡはオフである）。次いで、ヒーターＢはオフになる。ヒーターＡ及びＢの両方は、例えば、０分、５分、１０分、又は１５分間にわたってオフ状態を維持する。この時点で、次のヒーター（例えば、ヒーターＡ、又は後続のヒーターＣのいずれか）が始動される。サイクルは、プログラムの終了に達するまで継続する（プログラムサイクルは、例えば、６０日として定義される）。ヒーターＡ＝６０分オンにし、ヒーターＢ＝６０分オフにし、１０分間静置する例は以下のとおりである。
ヒーターＡ：オン時間＝６０分
Ｄ１＝６０分
Ｄ２＝ソフトウェアが候補リスト「Ｐ１」から乱数を選択する（Ｐ１はＡ〜Ｇのいずれかから選択され、ただし、Ａ＝０分、Ｂ＝５分、Ｃ＝１０分、Ｄ＝１５分、Ｅ＝２０分、Ｆ＝２５分、Ｇ＝３０分である）。
ヒーターＢのオフ時間＝６０＋６０＋Ｐ１。
【００９６】
プログラミングの説明は、ヒーター又はファンなどの任意の形態の蒸発支援要素に適用することができる。プログラミングはまた、第１の蒸発支援要素としてヒーターと、第２の蒸発支援要素としてファンとを有する揮発性組成物ディスペンサにおいて使用することもできる。
【００９７】
同時動作
総放出プログラムは、１つ以上の蒸発支援要素を同時に動作させることを含み得る。蒸発支援要素は、複数のエネルギーレベルで同時に動作させて、より認知性が高い新たな揮発性組成物経験を生成することができる。複数の揮発性組成物を組み合わせ、当該揮発性組成物の蒸発速度を変化させることによって、（強度と特性の両方の点で）慣れを抑制する継続的に変化する経験を生み出すことができる。複数の揮発性組成物を経時的に有することにより、常に認知性を有し得る独特で絶えず変化する刺激が可能になる。複数の揮発性組成物を同時に動作させることは、システムの揮発性組成物の総量を節約しながらも、単一の揮発性組成物を利用することによって達成可能な蒸発速度よりも速い蒸発速度を可能にする。蒸発支援要素は、同時に動作する場合、各蒸発支援要素の動作の一部だけで同時に動作することができる。例えば、１つの蒸発面要素が一度に稼働してもよく、その後、蒸発支援要素が１つ以上の他の蒸発支援要素と同時に稼働し得る期間が続き、任意で、第１の蒸発支援要素が作動する期間がオフになり、１つ以上の他の蒸発支援要素（単数又は複数）が単独で稼働し得る期間が続いてもよい。
【００９８】
同時動作（即ち、例えば同時に稼働している２つ以上のヒーターなどの蒸発支援要素）において、蒸発面温度、例えば、同時に動作している蒸発面の芯温度は、一次動作蒸発面（一次動作蒸発面は、最初に作動を開始する蒸発面、又は全ての蒸発面が加熱サイクルを同時に開始する場合には、小さい番号の蒸発面として定義される）の蒸発面温度の１０％〜１００％（「温度％」）となる。同時に動作する蒸発面の温度％は、予め定義する、アレイから選択する、「候補リスト」からランダムに選択する、又は１０％〜１００％のこれらの既定の境界内で動作する乱数発生器を介して選択することができる。
【００９９】
実施例＃１−芯２は、芯１の１０分前に開始され、芯１の温度＝（．１０〜１．００）＊ＭａｘＰｒｏｇｒａｍｍｅｄＴｅｍｐＷＩＣＫ２
【０１００】
実施例＃２−芯１及び芯２は同時に開始される。芯１は、８０℃の最高温度に達するようにプログラムされる。芯２の温度＝（．１０〜１．００）＊ＭａｘＰｒｏｇｒａｍｍｅｄＴｅｍｐＷＩＣＫ１。
【０１０１】
実施例＃３−芯１及び芯２が同時に開始されたとき、芯３は（９０℃の最大温度を有する）３０分サイクル中２５分間既に動作している（３つのヒーター全てが５分間同時に重複する）：
●一次芯は、９０℃の最高温度を有する芯３である。
●ソフトウェアは、同時に動作する芯の芯温度が、一次芯の６５％（．６５＊９０℃＝５８．５℃）であると判定した。
●芯１及び２は、このシナリオで同時に動作する芯である。
●揮発性組成物ディスペンサの動作は、以下のとおりである。
○ヒーター３（例示的な蒸発支援要素）は、２５分間動作する。
○ヒーター１及び２は、ヒーター３の動作２５分間後にオンになる。
○ヒーター３、１、及び２は、５分間同時に動作する−ヒーター３の最高温度＝９０℃、ヒーター１及びヒーター２の最高温度＝５８．５℃。
【０１０２】
同時動作（即ち、同時に動作する２つ以上のヒーター）において、任意の同時動作芯の芯動作時間（「オン時間」）（一次／二次芯の定義に関しては上記の温度の説明を参照）は、１分から一次芯動作時間が終了した時点までの範囲の期間ＳＯＴ（「同時動作時間」）である。
【０１０３】
実施例＃４−（２つの蒸発面として２つの芯を備える揮発性組成物ディスペンサ）：芯１は、６０分サイクルのうち１５分間動作している。（９０分にプログラムされた）芯２は、一次芯（芯１）の１５分を目印に同時動作に入る。芯１及び２は、次の４５分間（同時動作時間）同時に動作し、芯１のサイクルを完了する。その後、芯１はオフになり、同時動作時間が終了する。芯２は、単独動作で４５分間動作し続け、芯２の９０分サイクルを完了する。
【０１０４】
実施例＃５−（３つの蒸発面として３つの芯を備える揮発性組成物ディスペンサ）：芯２は６０分サイクルのうち１５分間動作している。（９０分にプログラムされた）芯３は、一次芯（芯２）の１５分を目印に同時動作に入る。芯２及び３は、次の４０分間（同時動作時間）に同時に動作する。（７５分にプログラムされた）芯１は、この時点（芯２のサイクル５５分及び芯３のサイクル４０分）でオンになり、芯１、２及び３は同時動作モードで５分間動作し、芯２の同時動作が終了する。芯１及び３は、同時モードで４５分間同時モードを継続し、芯３の同時モード（９０分サイクルの終了）が終了する。芯１は、単独動作で２５分間動作し続け、７５分間の芯１のサイクルを完了する。
【０１０５】
図１９は、エネルギーが低減又は維持される延長放出期間によって分離される複数のエネルギーブースト期間を有する、本発明の別の例示的な総放出プログラムを示す。
【０１０６】
揮発性組成物のＯＤＴの決定方法
ＯＤＴは、炎イオン化及び嗅ぎ口を装備する商用ＧＣを用いて測定され得る。ＧＣを較正して、シリンジにより注入される物質の正確な体積、正確なスプリット比、並びに既知の濃度及び鎖長分布の炭化水素標準物質を用いた炭化水素反応を決定する。空気流量を正確に測定し、人の吸息の時間が１２秒間持続すると仮定して、サンプリングした体積を計算する。任意の時点における検出器での正確な濃度は既知であるので、吸入された体積当たりの質量も既知であり、物質の濃度を計算することができる。物質が５０ｐｐｂ未満の閾値を有するかどうかを決定するために、逆算された濃度で溶液を嗅ぎ口に送出させる。官能試験員は、ＧＣ溶出液の臭いを嗅ぎ、臭気が認められる保持時間を特定する。全官能試験員の平均から感知能の閾値を決定する。必要量の検体をカラムに注入して、検出器における濃度を５０ｐｐｂにする。ＯＤＴを求めるための典型的なＧＣパラメータを以下に記載する。機器に関連付けられている指針に従って試験を実施する。
【０１０７】
装置：
ＧＣ：ＦＩＤ検出器を備える５８９０シリーズ（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）；
７６７３オートサンプラー（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）；
カラム：ＤＢ−１（Ａｇｉｌｅｎｔ  Ｔｅｃｈｎｏｌｏｇｉｅｓ，Ｉｎｄ．，Ｐａｌｏ  Ａｌｔｏ，Ｃａｌｉｆｏｒｎｉａ，ＵＳＡ）
長さ３０メートル、ＩＤ  ０．２５ｍｍ、フィルム厚１マイクロメートル（分離させるための選択的分割を提供する毛細管の内壁上のポリマー層）。
【０１０８】
方法のパラメータ：
スプリット注入：１７／１スプリット比
オートサンプラー：１．１３マイクロリットル／注入
カラム流量：１．１０ｍＬ／分
空気流量：３４５ｍＬ／分
入口温度：２４５℃
検出器温度：２８５℃。
【０１０９】
温度情報：
初期温度：５０℃
速度：５℃／分
最終温度：２８０℃
最終時間：６分
有力な仮定：（ｉ）臭い嗅ぎ１回当たり１２秒
（ｉｉ）ＧＣの空気が試料の希釈に加わる。
【０１１０】
一日平均蒸発速度を判定する方法
１．揮発性組成物を収容するカートリッジ又はリザーバを揮発性組成物ディスペンサのハウジングに挿入して、揮発性組成物ディスペンサ全体の組立を完了する。カートリッジ又はリザーバを把持し、優しく引っ張ってハウジングとの確実な係合を確認することによって、カートリッジ又はリザーバがハウジング内に完全に挿入されるように確保する。
２．揮発性組成物ディスペンサ（ハウジング＋カートリッジ／リザーバ）全体を化学てんびん上に置く。
３．化学てんびんを使用して、揮発性組成物ディスペンサの総重量を小数第二位（例えば、１００．００ｇ）まで測定し記録する。
４．揮発性組成物ディスペンサの強度を所望の試験条件（例えば、高、中、低）に調節する
５．揮発性組成物ディスペンサ上を始動又は電源を投入し（例えば、差込み式揮発性組成物ディスペンサの場合、揮発性組成物ディスペンサを適切な電圧に差し込む）、時間（時間及び分）を記録する。
６．揮発性組成物ディスペンサを、少なくとも２４時間経過後に、動作を停止する、オフにする、プラグを抜くなどによって作動させなくする。時間（時間及び分）及び揮発性組成物ディスペンサの総重量を記録する。
７．システムの重量及び時間を記録したら、揮発性組成物ディスペンサを通常動作に戻す。工程６及び７は、１５分以下とすべきである。
８．工程５〜７を、〜２４時間以上の規則的な間隔で所望に応じて何度も繰り返す。
【０１１１】
蒸発速度計算：
蒸発速度を以下の式に従って計算する：
【０１１２】
【数１】
2021511852.tif 000004
【０１１３】
消費者調査＃１
試験対象の揮発性組成物ディスペンサ
製品Ａ：２つのカートリッジと、各カートリッジ用の蒸発面と、各蒸発面用のヒーターの形態の蒸発支援要素と、を有する図１〜３に示されるような揮発性組成物ディスペンサ。製品Ａの総放出プログラムを図２０に示す。
【０１１４】
製品Ｂ：製品Ａと同じ揮発性組成物ディスペンサを製品Ｂに使用した。製品Ｂの総放出プログラムを図８に示す。
【０１１５】
比較製品１は、２つのカートリッジと、各カートリッジ用の蒸発面と、各蒸発面用のヒーターの形態の蒸発支援要素と、を有する市販の揮発性組成物ディスペンサ。
【０１１６】
比較製品２は、単一のカートリッジと、単一の蒸発面と、ヒーターの形態の蒸発支援要素と、を有する市販の揮発性組成物ディスペンサである。
【０１１７】
現在、様々なブランドの香り付きオイル製品を使用している消費者官能試験員（「官能試験員」）を募集した。
【０１１８】
試験員団１は、以下の９人の官能試験員を含む。あるブランドの市販香り付きオイル製品（以下、「比較製品１」）を現在使用している５人の消費者（「グループ１」）、別のブランドの市販香り付きオイル製品（以下、「比較製品２」）を現在使用している４人の消費者（「グループ２」）。官能試験員は製品Ａを配置し、自宅で４週間使用した。４週間の最後に、訓練を受けた調査員が、自宅で消費者にインタビューを行った。製品Ａが回収され、比較製品（グループ１の官能試験員には比較製品１、及びグループ２の官能試験員には比較製品２）が配置されて、４週間使用された。第２の４週間の最後に、訓練を受けた調査員が、自宅で消費者にインタビューを行った。比較製品が回収され、製品Ｂが４週間配置された。第３の４週間の最後に、訓練を受けた調査員が、自宅で消費者にインタビューを行った。官能試験員は、彼らの使用した３つの製品を比較する一連の質問に答えた。結果を下の表２に示す。
【０１１９】
【表２】
2021511852.tif 000005
【０１２０】
群１の強制購入選択；製品Ａを選択した官能試験員は０人だった。５人の官能試験員は、比較製品を選択した（ただし、５人のうち２人は、比較製品を選択させたのはその香りであり、比較製品の香りで製品Ｂの機能を有する揮発性組成物ディスペンサが好ましいと答えた）。４人の官能試験員が製品Ｂを選択した。製品Ａは経時的にエネルギーを増加させるエネルギーブーストを行って、比較製品よりも安定した蒸発速度を提供したため、比較製品よりも製品Ａを好まなかったのは驚くべきことである。しかしながら、消費者が総放出プログラムの開始時には、揮発性組成物の最小レベルの認知性を求め、製品Ａは、最小レベルの認知性を達成するのに十分な速さの蒸発速度を提供しなかったことが分かった。したがって、製品Ａが比較製品よりも総放出プログラム全体にわたって速い蒸発速度を有していたとしても、消費者は、製品Ａよりも比較製品又は製品Ｂを好んだ。製品Ｂは、継時的なエネルギーの増加と組み合わせて初期のエネルギーブーストを提供したために、部屋への充満、香りの到達範囲、香りの一貫性、及び香りの持続性に関する消費者のニーズを製品Ａ又は比較製品よりも満たしていた。
【０１２１】
消費者調査＃２
検査対象の揮発性組成物ディスペンサ
製品Ｃ：製品Ａと同じ揮発性組成物ディスペンサを製品Ｃに使用した。製品Ｃのプログラムを図１１に示す。
【０１２２】
比較製品１は、消費者試験員団＃１における比較製品１と同じである。
【０１２３】
比較製品２は、消費者試験員団＃２における比較製品２と同じである。
【０１２４】
試験員団２も、試験員団１と同じ募集基準を使用して募集された。
【０１２５】
試験員団２は、以下の官能試験員１０人を含む。比較製品１の現行ユーザー４人と、比較製品２の現行ユーザー６人。官能試験員は製品Ｃを配置し、自宅で４週間使用した。４週間の最後に、訓練を受けた調査員が、自宅で消費者にインタビューを行った。製品Ｃが回収され、比較製品（グループ１の官能試験員には比較製品１、及びグループ２の官能試験員には比較製品２）が配置されて、４週間使用された。第２の４週間の最後に、訓練を受けた調査員が、自宅で消費者にインタビューを行った。官能試験員は、彼らの使用した２つの製品を比較する一連の質問に答えた。結果を下の表３に示す。
【０１２６】
【表３】
2021511852.tif 000006
【０１２７】
試験員団２の強制購入選択：８人の官能試験員が製品Ｃを選択した。２人の官能試験員が比較製品を選択したが、２人のうち１人は、香りは比較製品で、性能は製品Ｃであると答えた。官能試験員らは、比較製品よりも、初期エネルギーブースト及び後続のエネルギーブーストの後に、エネルギーを低減させる延長放出期間が続く製品Ｃを好んだ。
【０１２８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１２９】
本明細書全体をとおして記載される全ての最大数値限定は、それよりも低い全ての数値限定を、かかるより低い数値限定があたかも本明細書に明確に記載されているかのように包含することを理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【０１３０】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３１】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021511852.tif 000007
【図２】
2021511852.tif 000008
【図３】
2021511852.tif 000009
【図４】
2021511852.tif 000010
【図５】
2021511852.tif 000011
【図６】
2021511852.tif 000012
【図７】
2021511852.tif 000013
【図８】
2021511852.tif 000014
【図９】
2021511852.tif 000015
【図１０】
2021511852.tif 000016
【図１１】
2021511852.tif 000017
【図１２】
2021511852.tif 000018
【図１３】
2021511852.tif 000019
【図１４】
2021511852.tif 000020
【図１５】
2021511852.tif 000021
【図１６】
2021511852.tif 000022
【図１７】
2021511852.tif 000023
【図１８】
2021511852.tif 000024
【図１９】
2021511852.tif 000025
【図２０】
2021511852.tif 000026
【国際調査報告】
2021511852.tif 000027
2021511852.tif 000028
2021511852.tif 000029
2021511852.tif 000030
2021511852.tif 000031